(57)【特許請求の範囲】
【請求項１】
円形状の光学的記録媒体の周縁の周囲に配置された基端部及び基端部から光学的記録媒体の半径方向と交差する方向に延出した延出端部を有している第１の腕と、第１の腕の基端部から第１の腕の延出端部に向かう方向と交差するとともに光学的記録媒体の表面に沿った方向に第１の腕の基端部から延出した第２の腕と、を含んでおり、第１の腕の延出端部を光学的記録媒体の記録層に沿い光学的記録媒体の半径方向に往復動させるよう回転軸の回りに揺動するスイングアーム部材と；
スイングアーム部材に設けられ光源からの光ビームを第１の腕の延出端部まで導き上記延出端部から光学的記録媒体の記録層に照射するとともに上記記録層からの反射光を上記延出端部から反射光検知手段まで導く光学回路と；
を備えていて、
スイングアーム部材の第１の腕と第２の腕との交差角度が９０度よりも大である、
ことを特徴とするスイングアーム式光ピックアップ。
【請求項２】
前記第２の腕が前記光学的記録媒体の周縁から遠ざかる方向に向かい前記第１の腕の基端部から延出している、
ことを特徴とする請求項１に記載のスイングアーム式光ピックアップ。
【請求項３】
前記第２の腕が前記光学的記録媒体の周縁に接近する方向に向かい前記第１の腕の基端部から延出している、
ことを特徴とする請求項１に記載のスイングアーム式光ピックアップ。
【請求項４】
前記スイングアーム部材が前記光学的記録媒体の前記周縁の外側に配置された時に、前記スイングアーム部材において前記第１の腕の上記延出端部が前記光学的記録媒体の前記周縁に最も接近して配置されている、
ことを特徴とする請求項１乃至３のいずれか１項に記載のスイングアーム式光ピックアップ。
【請求項５】
前記光源が前記第２の腕に設置されており、前記光源からの光ビームが前記光学回路により前記第１の腕の基端部を介して前記第１の腕の延出端部まで導かれている、
ことを特徴とする請求項１乃至４のいずれか１項に記載のスイングアーム式光ピックアップ。
【請求項６】
スイングアーム部材の第１の腕の延出端部に導かれる光ビームが、第１の腕の延出端部と上記回転軸とを結ぶ線に対して光学的記録媒体の中心から離れる側に位置している、
ことを特徴とする請求項１乃至５のいずれか１項に記載のスイングアーム式光ピックアップ。
【発明の詳細な説明】
【０００１】
【発明の属する技術分野】
この発明はスイングアーム式光ピックアップに関係している。
【０００２】
【従来の技術】
スイングアーム式光ピックアップは例えば特開平５−２６６４９４号公報に開示されている。この従来のスイングアーム式光ピックアップは：円形状の光学的記録媒体の一種である光ディスクの周縁の周囲に配置された基端部及び基端部から光学的記録媒体の半径方向と交差する方向に延出した延出端部を有している第１の腕と、第１の腕の基端部から第１の腕の延出端部に向かう方向とは正反対の方向に第１の腕の基端部から延出した第２の腕と、を含んでおり、第１の腕の延出端部を光ディスクの記録層に沿い光ディスクの半径方向に往復動させるよう揺動するスイングアーム部材と；スイングアーム部材に設けられ光源としてのレーザダイオードからの光ビームを第１の腕の延出端部まで導き上記延出端部から光ディスクの記録層に照射するとともに上記記録層からの反射光を上記延出端部から反射光検知手段としての受光器まで導く光学回路と；を備えている。
【０００３】
【発明が解決しようとする課題】
このような従来のスイングアーム式光ピックアップは、スイングアーム部材が第１の腕の延出端部を光ディスクの周縁の外側の動作休止位置に移動させる為に第１の腕を光ディスクの周縁に対して接線状に配置させたときに第２の腕の延出端部が光ディスクの周縁から突出する距離が大きい。この為に、スイングアーム式光ピックアップが光ディスクと組み合わされた組み立て体の外形状の寸法が大きくなる。また、動作休止位置から光ディスクの記録層へのアクセス時間を短くする為に動作休止位置においてスイングアーム部材の第１の腕の延出端部を光ディスクの周縁に最も接近させると、第２の腕の延出端部が光ディスクの周縁から突出する距離がさらに大きくなる。
【０００４】
この発明はこのような事情の下でなされ、この発明の目的は、円形状の光学的記録媒体に対するアクセス速度を出来る限り速くすることが出来るとともに光学的記録媒体との組み合わせの外形状を大きくすることがないスイングアーム式光ピックアップを提供することである。
【０００５】
【課題を解決するための手段】
上述した如きこの発明の目的を達成する為に、この発明に従ったスイングアーム式光ピックアップは：円形状の光学的記録媒体の周縁の周囲に配置された基端部及び基端部から光学的記録媒体の半径方向と交差する方向に延出した延出端部とを有している第１の腕と、第１の腕の基端部から第１の腕の延出端部に向かう方向と交差するとともに光学的記録媒体の表面に沿った方向に第１の腕の基端部から延出した第２の腕と、を含んでおり、第１の腕の延出端部を光学的記録媒体の記録層に沿い光学的記録媒体の半径方向に往復動させるよう回転軸の回りに揺動するスイングアーム部材と；スイングアーム部材に設けられ光源からの光ビームを第１の腕の延出端部まで導き上記延出端部から光学的記録媒体の記録層に照射するとともに上記記録層からの反射光を上記延出端部から反射光検知手段まで導く光学回路と；を備えていて、スイングアーム部材の第１の腕と第２の腕との交差角度が９０度より大である、ことを特徴としている。
【０００６】
上述した如きこの発明に従ったスイングアーム式光ピックアップは、スイングアーム部材の第１の腕の延出端部に導かれる光ビームが、第１の腕の延出端部と上記回転軸とを結ぶ線に対して光学的記録媒体の中心から離れる側に位置している、ことが出来る。
【０００７】
上述した如きこの発明に従ったスイングアーム式光ピックアップはさらに、スイングアーム部材が光学的記録媒体の周縁の外側に配置された時に、スイングアーム部材において上記延出端部が光学的記録媒体の周縁に最も接近して配置されている、ことが出来る。
【０００８】
上述した如き本願の発明に従ったスイングアーム式光ピックアップに特徴的な構成であると、円形状の光学的記録媒体に対するアクセス速度を出来る限り速くする為にスイングアーム部材の第１の腕の延出端部を光学的記録媒体に出来る限り接近させた状態においてスイングアーム部材が光学的記録媒体の周縁から遠ざかる方向に突出する距離を小さくすることが出来、ひいては円形状の光学的記録媒体に隣接して配置された時に光学的記録媒体との組み合わせの外形状を出来る限り小さくすることが出来る。
【０００９】
なお、この発明に従ったスイングアーム式光ピックアップにおいてスイングアーム部材の第２の腕は、スイングアーム部材の第１の腕の基端部から光学的記録媒体の周縁から遠ざかる方向に向かい延出している、ことが出来るし、スイングアーム部材の第１の腕の基端部から光学的記録媒体の周縁に接近する方向に向かい延出していることも出来るが、前者に比べ後者の方が円形状の光学的記録媒体に隣接して配置された時の光ディスクとの組み合わせの外形状がより小さくなる。
【００１０】
さらにこの発明に従ったスイングアーム式光ピックアップにおいては、光源を第２の腕に設置することが出来る。これにより、スイングアーム式光ピックアップがスイングアーム部材を第１の腕の延出端部を光学的記録媒体の記録層に沿い光学的記録媒体の半径方向に往復動させるよう回転軸の回りに揺動させても第２の腕に設置された光源はスイングアーム部材とともに回転軸の回りに揺動するので、光源からスイングアーム部材の第１の腕の延出端部を介して光学的記録媒体の記録層に照射されるまでに光ビームが通過する距離に変動が生ぜず、上記光ビームの光学特性が変化しない。この結果として、上記光ビームを使用した光学的記録媒体の記録層に対する情報の記録及び上記記録層からの情報の再生に上記光ビームの光学特性の変化による不良が生じることがない。
【００１１】
さらにこの発明に従ったスイングアーム式光ピックアップにおいては、第１の腕の前記延出端部に対物レンズを配置することが出来る。これによっても、スイングアーム式光ピックアップがスイングアーム部材を第１の腕の延出端部を光学的記録媒体の記録層に沿い光学的記録媒体の半径方向に往復動させるよう回転軸の回りに揺動させても第１の腕の前記延出端部に設置された対物レンズはスイングアーム部材とともに回転軸の回りに揺動するので、光源からの光ビームがスイングアーム部材の第１の腕の延出端部から対物レンズを介して光学的記録媒体の記録層に照射されるまでに光ビームが通過する距離に変動が生ぜず、上記光ビームの光学特性が変化しない。この結果として、上記光ビームを使用した光学的記録媒体の記録層に対する情報の記録及び上記記録層からの情報の再生に上記光ビームの光学特性の変化による不良が生じることがない。
【００１２】
なおこの発明に従ったスイングアーム式光ピックアップは、光磁気ディスクドライブ，追記型ディスクドライブ，そして相変化型ディスクドライブ等に使用されてＣＤ−ＲＯＭ，ＤＶＤ，そして光カード等の光記録媒体に対し情報を記録する為やこれらの記録層から情報を再生する為に使用されるものであっても良い。
【００１３】
【発明の実施の形態】
以下、この発明の種々の実施の形態を添付の図面を参照しながら詳細に説明する。
なおこの発明の種々の実施の形態のスイングアーム式光ピックアップは、レーザ光源からのビーム光を特開平５−１８９７９６号公報から知られている浮上式の固体液浸レンズ（ＳＩＬ：Ｓｏｌｉｄ  Ｉｍｍｅｒｓｉｏｎ  Ｌｅｎｓ）を介してさらに小さく絞り込んで光ディスクの記録層に情報を記録したり上記記録層からの反射光を基に情報を再生する為に使用される。このような浮上式の固体液浸レンズを使用した光記録・再生技術は、例えば「日経バイト」の１９９７年９月号及び「日経エレクトロニクス」の１９９７年９月２２日号から知られている。浮上式の固体液浸レンズは光ディスクの表面に形成されている記録層からハードディスクに対する磁気ヘッドの如く光ディスクの回転に伴い発生する風により略１００ｎｍと略１５０ｎｍとの間に浮上し、ＣＤやＤＶＤ等の光ディスクの表面から光ヘッドが１ｍｍ以上離間される従来の光記録方法をファー・フィールド（Ｆａｒ  Ｆｉｅ−ｌｄ）記録と呼ぶのに対して、浮上式の固体液浸レンズを使用した光記録・再生方法はニアー・フィールド（Ｎｅａｒ  Ｆｉｅｌｄ）記録と呼ばれる。ニアー・フィールド記録においては、情報の記録や再生の為に使用されるビーム光がファー・フィールド記録において情報の記録や再生の為に使用されるビーム光の太さの略１／１０にすることが可能であって、この為にニアー・フィールド記録における記録密度はファー・フィールド記録における記録密度の略１０倍にすることが可能である。
【００１４】
ニアー・フィールド記録の為のスイングアーム式光ピックアップにおいては、光の通路をより精密に制御する必要がある為に、スイングアーム部材の第２の腕にコンデンサレンズ装置と組み合わされたレーザダイオードや反射光フォトディテクタやプリズム組み立て体やモニタ用やサーボ用フォトディテクタやリレイレンズ装置が載置され、第１の腕の基端部にガルバノミラー装置が載置され、スイングアーム部材の第１の腕の基端部と延出端部との間にイメージングレンズが載置され、第１の腕の延出端部に対物レンズ及び固体液浸レンズが載置されている。そして第２の腕の延出端部のレーザダイオードから出射されたレーザ光は、コンデンサレンズ装置を通過してプリズム組み立て体によりモニタ用フォトディテクタ及びリレイレンズ装置に分岐され、リレイレンズ装置からはガルバノミラー装置に入射される。ガルバノミラー装置はレーザ光をイメージングレンズに向かい反射し、イメージングレンズからはさらに反射鏡を介して光ディスクの記録層への情報の記録の為に対物レンズ及び固体液浸レンズに入射される。光ディスクの記録層からの反射光は固体液浸レンズ及び対物レンズから反射鏡，イメージングレンズ，ガルバノミラー装置，リレーレンズ装置を介してプリズム組み立て体に入射された後に、プリズム組み立て体でサーボ用フォトディテクタ及び反射光フォトディテクタに入射される。
［第１の実施の形態］
図１の（Ａ）は、本願の特許請求の範囲に記載の発明に関係している第１の実施の形態に従ったスイングアーム式光ピックアップを対応する光ディスクとともに概略的に示す平面図である。このスイングアーム式光ピックアップは、カートリッジに格納された光ディスクが着脱自在に装填されこの光ディスクから情報の記録及び再生を行う記録・再生装置において光ディスクから情報の記録及び再生の為に使用されるかまたは、光ディスクから情報の記録及び再生を行う記録・再生装置に対して着脱自在に装填される図示しないカートリッジ中に光ディスクとともに格納されて光ディスクから情報の記録及び再生の為に使用される。
【００１５】
図１の（Ａ）に示す如く、この発明の第１の実施の形態に従ったスイングアーム式光ピックアップ１０は、円形状の光学的記録媒体の一種である光ディスク１２の周縁の周囲に配置された基端部１４ａ及び基端部１４ａから光ディスク１２の半径方向と交差する方向に延出した延出端部１４ｂとを有している第１の腕１４と、第１の腕１４の基端部１４ａから第１の腕１４の延出端部１４ｂに向かう方向と交差する方向に第１の腕１４の基端部１４ａから延出した第２の腕１６と、を含んでおり、第１の腕１４の延出端部１４ｂを光ディスク１２の上面の図示しない記録層に沿い光ディスク１２の半径方向に往復動させるよう揺動するスイングアーム部材１８を備えている。
【００１６】
スイングアーム部材１８は光ディスク１２の周縁の周囲に配置されたボイス・コイル・モータ２０の出力軸２０ａに基端部１４ａが固定されていて、このボイス・コイル・モータ２０の構造は従来の磁気ハードディスクと組み合わされる従来のスイングアーム式磁気ピックアップの回転駆動源であるボイス・コイル・モータの構造と同じである。即ち、ボイス・コイル・モータ２０は、出力軸２０ａに固定された偏平状のコイル２０ｂ，上記記録・再生装置または上記カートリッジの図示しない固定部材に固定されたヨーク２０ｃ，そして２極着磁磁石２０ｄにより構成された磁気回路２１を備えている。
【００１７】
図１の（Ａ）においてスイングアーム部材１８は、ボイス・コイル・モータ２０により動作休止位置に配置されていて、動作休止位置のスイングアーム部材１８の第１の腕１４は延出端部１４ｂを光ディスク１２の周縁に最も接近させている。
【００１８】
スイングアーム部材１８は軽量で剛性の高い材料、例えばマグネシウム合金、により形成されていて、この実施の形態では第２の腕１６は光ディスク１２の周縁から遠ざかる方向に第１の腕１４の基端部１４ａから延出している。
【００１９】
スイングアーム部材１８の第２の腕１６の延出端部にはレーザダイオード２２及びコンデンサレンズ装置２４が支持されている。レーザダイオード２２は図示しない高周波シールドケースに格納されている図示しないレーザ発振回路に操作されて第１の腕１４の基端部１４ａに向かい楕円状に拡散するレーザ光を出射し、コンデンサレンズ装置２４はレーザダイオード２２から出射された楕円状に拡散するレーザ光を楕円状の平行レーザ光にする。第２の腕１６の中間部の底壁の内表面にはプリズムや複数のビームスプリッタを組み合わせて構成されたプリズム組み立て体２６が設置されている。プリズム組み立て体２６は、コンデンサレンズ装置２４からの楕円状の平行レーザ光が入射されたプリズムにおいて楕円状の平行レーザ光を真円状の平行レーザ光に整形した後にビームスプリッタにより真円状の平行レーザ光の一部を第２の腕１６の中間部の外側縁の近傍に設置されているモニタ用フォトディテクタ２８に導くとともに、真円状の平行レーザ光の残りを第２の腕１６の基端部に設置されているリレイレンズ装置３０に導く。リレイレンズ装置３０はプリズム組み立て体２６の上記ビームスプリッタからの真円状の平行レーザ光の残りを第１の腕１４の基端部１４ａの底壁の内表面に設置されているガルバノミラー装置３２に向かい収束させる。ガルバノミラー装置３２は、リレイレンズ装置３０からの収束されたレーザ光をスイングアーム部材１８の第１の腕１４においてガルバノミラー装置３２から延出端部１４ｂに向かう方向に設置されているハーフプリズム３４に向かい反射する。ハーフプリズム３４はガルバノミラー装置３２からの収束されたレーザ光の一部をハーフプリズム３４の上面に設置されている図示しないモニタ用フォトディテクタに導くとともに、上記収束されたレーザ光の残りを第１の腕１４においてハーフプリズム３４から延出端部１４ｂに向かう方向に設置されているイメージングレンズ３６に導く。イメージングレンズ３６は上記収束されたレーザ光を真円状のレーザ光に整形した後、第１の腕１４の延出端部１４ｂに設置されている反射鏡３８に向かわせ、反射鏡３８によって下方に向けさせる。
【００２０】
反射鏡３８の下方には、対物レンズ及び固体液浸レンズ（ＳＩＬ：ＳｏｌｉｄＩｍｍｅｒｓｉｏｎ  Ｌｅｎｓ）の同軸の組み合わせ１００を保持したスライダ１０２が配置されている。スライダ１０２は従来の磁気ハードディスクに対して使用されていた従来の磁気ヘッドのスライダと同様に板ばね状の弾性支持体１０４のより第１の腕１４の延出端部１４ｂに支持されている。
【００２１】
スイングアーム部材１８のレーザダイオード２２からのレーザ光により光ディスク１２の上面の記録層１２ａに対して情報の記録を行う時や上記記録層１２ａから情報を再生する時には、光ディスク１２が例えば矢印Ａで示す所定の方向に所定の回転数で回転されている間にスイングアーム部材１８がボイス・コイル・モータ２０の出力軸２０ａの回りに所定の範囲で往復動されて第１の腕１４の延出端部１４ｂの対物レンズ及び固体液浸レンズの組み合わせ１００を保持したスライダ１０２を光ディスク１２の上面の記録層１２ａの上方で光ディスク１２の半径方向に矢印Ｂで示す如く移動させる。
【００２２】
なおこの間には、対物レンズ及び固体液浸レンズの組み合わせ１００を保持したスライダ１０２は弾性支持体１０４の弾性により所定の範囲内で自由に上下方向に移動自在である。この為にスライダ１０２は上述した如く回転している光ディスク１２の上面に対して上述した如く回転している光ディスク１２が巻き起こす風によって略１００ｎｍと略１５０ｎｍとの範囲内で浮上する。
【００２３】
光ディスク１２の上面の記録層１２ａに対する情報の記録の為または記録層１２ａからの情報の再生の為に対物レンズ及び固体液浸レンズの組み合わせ１００を介して光ディスク１２の上面の記録層１２ａに対して照射されたレーザ光は、記録層１２ａにより反射されて対物レンズ及び固体液浸レンズの組み合わせ１００，イメージングレンズ３６，ハーフプリズム３４，ガルバノミラー装置３２，そしてリレイレンズ装置３０を介してハーフプリズム組み立て体２６に戻され、ハーフプリズム組み立て体２６のビームスプリッタによりリレイレンズ装置３０からの反射レーザ光の一部を第２の腕１６の中間部の内側縁の近傍に設置されているサーボ用フォトディテクタ４０に導くとともに、上記反射レーザ光の残りをハーフプリズム組み立て体２６のオラストンプリズム及び対物レンズを介して第２の腕１６の延出端部に設置されている反射光フォトディテクタ４２に導く。
【００２４】
スイングアーム部材１８のレーザダイオード２２からのレーザ光により光ディスク１２の上面の記録層１２ａに対する情報の記録及び記録層１２ａからの情報の再生を行なわない時、または光ディスク１２のみを格納した図示しないカートリッジを前述した図示しない記録再生装置に対して着脱する時には、光ディスク１２の記録層１２ａやスイングアーム部材１８の対物レンズ及び固体液浸レンズの組み合わせ１００やスライダ１０２や弾性支持体１０４等を保護する為に、スイングアーム部材１８がボイス・コイル・モータ２０の出力軸２０ａにより第１の腕１４の延長端部１４ｂ，即ち対物レンズ及び固体液浸レンズの組み合わせ１００を保持したスライダ１０２、を光ディスク１２の上面から光ディスク１２の半径方向における図１の（Ａ）に実線で示す外方まで移動させられ、ここにおいて対物レンズ及び固体液浸レンズの組み合わせ１００を保持したスライダ１０２の為の弾性支持体１０４は図示しない従来の磁気ハードディスク装置において磁気ヘッドを支持したアームの支持ばねを受ける公知の図示しない支持ばね受けと同様な構成の図示しない支持ばね受けに受けられて、スライダ１０２を光ディスク１２の上面上において前述した如く浮上した動作位置から上方に移動した休止位置へと移動させ保持される。
【００２５】
なお、光ディスク１２のみを格納した図示しないカートリッジを前述した図示しない記録再生装置に対して着脱する時には、スイングアーム式光ピックアップ１０の全体は上記図示しないカートリッジの着脱軌跡から除外されている。
【００２６】
図１の（Ａ）から明らかなように、この第１の実施の形態においては、スイングアーム部材１８がボイス・コイル・モータ２０の出力軸２０ａにより第１の腕１４の延長端部１４ｂ，即ち対物レンズ及び固体液浸レンズの組み合わせ１００を保持したスライダ１０２、を光ディスク１２の上面から光ディスク１２の半径方向における図１の（Ａ）に実線で示す外方まで移動させられた時にはスイングアーム部材１８の全体が光ディスク１２の周縁よりも半径方向におけるに外方に配置されていて、しかしながらスイングアーム部材１８の第１の腕１４において延出端部１４ｂが光ディスク１２の周縁に最も接近して配置されている。
【００２７】
この為にこの第１の実施の形態のスイングアーム式光ピックアップ１０は光ディスク１２の上面上の記録層１２ａに対するアクセス時間が短い。
また、スイングアーム部材１８の全体が光ディスク１２の周縁の外側に配置されるまでに要するスイングアーム部材１８の回動距離が最短になるので、ボイス・コイル・モータ２０の出力軸２０ａの回りのスイングアーム部材１８の揺動動作に必要な回転角度の範囲が小さくなり、ひいてはボイス・コイル・モータ２０の磁気回路２１を構成しているコイル２０ｂやヨーク２０ｃや磁石２０ｄ等の構成部材の寸法を小さくすることが出来、最終的にはスイングアーム式光ピックアップ１０の外形寸法を小さくすることが出来る。
【００２８】
この第１の実施の形態のスイングアーム式光ピックアップ１０においてはさらに、第１の腕１４に対して第２の腕１６が９０度より大の交差角度α（この実施の形態では略１００度）で交差している。なおこの実施の形態では交差角度αは、第２の腕１６の延出端部のレーザダイオード２２からリレイレンズ装置３０を介して第１の腕１４の基端部１４ａのガルバノミラー装置３２へと入射するレーザ光の光軸１０６とガルバノミラー装置３２から第１の腕１４の延出端部１４ｂの反射鏡３８へと向かうよう反射されたレーザ光の光軸１０８との間の交差角度を採用している。
【００２９】
そして上述した如き交差角度αのお陰で、第２の腕１６の重心をボイス・コイル・モータ２０の出力軸２０ａにより接近させることが出来るので、出力軸２０ａの回りのスイングアーム式光ピックアップ１０の慣性モーメントを小さくすることが出来る。即ち、光ディスク１２の記録層１２ａ中の所望の記録トラックに対するスイングアーム式光ピックアップ１０の応答性が速くなる。
【００３０】
従ってこの第１の実施の形態のスイングアーム式光ピックアップ１０は、上述した如くアクセス時間が短かくなるよう構成されているばかりでなく、光ディスク１２の周縁からのスイングアーム部材１８の第２の腕１６の延出端部の突出距離を増大させることがない。ひいては、第１の実施の形態のスイングアーム式光ピックアップ１０は、円形状の光学的記録媒体の一種である光ディスク１２に隣接して配置された時に光ディスク１２との組み合わせの外形状の寸法を出来る限り小さくすることが出来る。
【００３１】
なおこの実施の形態では、交差角度αを例えば１１０度の如くより大きく設定すれば、上述した応答性の向上や外形状の寸法の減少がより得られる。
また、ガルバノミラー装置３２から第１の腕１４の延出端部１４ｂの反射鏡３８へと向かうよう反射されたレーザ光の光軸１０８が、反射鏡３８とボイス・コイル・モータ２０の中心軸２０ａとを結ぶ仮想直線１１０よりも光ディスク１２の周縁から遠くに配置されている。このことによっても、第１の腕１４の延出端部１４ｂを光ディスク１２の周縁に接近させて配置することを可能にしている。
【００３２】
図１の（Ａ）に示されているこの発明の第１の実施の形態のスイングアーム式光ピックアップ１０におけるこのような利点は、図１の（Ｂ）に示されている本願の発明には含まれないスイングアーム式光ピックアップ５０の好ましくない構成及び配置と比較することにより明らかになる。
【００３３】
なお図１の（Ｂ）に示されている本願の発明には含まれないスイングアーム式光ピックアップ５０において図１の（Ａ）に示されているこの発明の第１の実施の形態のスイングアーム式光ピックアップ１０の構成部材と同じ構成部材には第１の実施の形態のスイングアーム式光ピックアップ１０の構成部材を指摘したのと同じ参照符号を記してこれらの構成部材についての詳細な説明は省略する。そして本願の発明には含まれないスイングアーム式光ピックアップ５０において第１の実施の形態のスイングアーム式光ピックアップ１０と異なる構成及び配置についてのみ以下に説明する。
【００３４】
図１の（Ｂ）のスイングアーム式光ピックアップ５０もまた、光ディスク１２の周縁の周囲に配置されたボイス・コイル・モータ２０の出力軸２０ａに基端部５２ａが固定されていて基端部５２ａから光ディスク１２の半径方向と交差する方向に延出した延出端部５２ｂを有している第１の腕５２と、第１の腕５２の基端部５２ａから第１の腕５２の延出端部５２ｂに向かう方向と交差する方向において光ディスク１２の周縁から遠ざかるよう延出した第２の腕５４と、を含んでいて、第１の腕５２の延出端部５２ｂを光ディスク１２の上面の記録層１２ａに沿い光ディスク１２の半径方向に往復動させるよう揺動するスイングアーム部材５６を備えている。
【００３５】
図１の（Ｂ）のスイングアーム部材５６は第１の腕５２の延出端部５２ｂの中心とボイス・コイル・モータ２０の出力軸２０ａの中心とを結ぶ仮想線上に第１の腕５２の基端部５２ａが位置していて第１の腕５２において延出端部５２ｂが光ディスク１２の周縁に最も接近されておらず、光ディスク１２の周縁に最も接近されているのは第１の腕５２において延出端部５２ｂと基端部５２ａとの間の中間部である。従って、図１の（Ｂ）のスイングアーム式光ピックアップ５０は、図１の（Ａ）の本願の発明の第１の実施の形態のスイングアーム式光ピックアップ１０に比べると、光ディスク１２の上面の記録層１２ａに対するアクセス時間が長い。
【００３６】
また、スイングアーム部材５６がボイス・コイル・モータ２０の出力軸２０ａにより第１の腕５２の延長端部５２ｂ，即ち対物レンズ及び固体液浸レンズの組み合わせ１００を保持したスライダ１０２、を光ディスク１２の上面から光ディスク１２の半径方向における図１の（Ｂ）に実線で示す外方まで移動させられ、さらにスイングアーム部材５６の全体が光ディスク１２の周縁よりも半径方向におけるに外方に配置されるのに要するボイス・コイル・モータ２０の出力軸２０ａの回りのスイングアーム部材５６の回転角度範囲が、図１の（Ａ）の本願の発明の第１の実施の形態のスイングアーム式光ピックアップ１０に比べると、大きく、ボイス・コイル・モータ２０の出力軸２０ａの回りのスイングアーム部材１５６の揺動動作に必要な回転角度の範囲が大きくなり、ひいてはボイス・コイル・モータ２０の磁気回路２１（図１の（Ａ）参照）を構成しているコイル２０ｂ（図１の（Ａ）参照）やヨーク２０ｃ（図１の（Ａ）参照）や磁石２０ｄ（図１の（Ａ）参照）等の構成部材の寸法が大きくなり、最終的にはスイングアーム式光ピックアップ５６の外形寸法が大きくなる。
【００３７】
また、図１の（Ｂ）のスイングアーム部材５６においては、第１の腕５２に対する第２の腕５４の交差角度が実質的に９０度に設定されている。ここにおいても交差角度αは、第２の腕５４の延出端部のレーザダイオード２２からリレイレンズ装置３０を介して第１の腕５２の基端部５２ａのガルバノミラー装置３２へと入射するレーザ光の光軸１０６とガルバノミラー装置３２から第１の腕５２の延出端部５２ｂの反射鏡３８へと向かうよう反射されたレーザ光の光軸１０８との間の交差角度を採用している。
【００３８】
さらに、ガルバノミラー装置３２から第１の腕５２の延出端部５２ｂの反射鏡３８へと向かうよう反射されたレーザ光の光軸１０８が、反射鏡３８とボイス・コイル・モータ２０の中心軸２０ａとを結ぶ仮想直線と一致して配置されている。
【００３９】
従って、図１の（Ｂ）のスイングアーム部材５６において第１の腕５２の延出端部５２ｂの反射鏡３８とボイス・コイル・モータ２０の出力軸２０ａの中心とを結ぶ仮想線よりもガルバノミラー装置３２から第１の腕５２の延出端部５２ｂの反射鏡３８へと向かうよう反射されたレーザ光の光軸１０８が光ディスク１２の周縁から遠ざかるように光軸１０８を移動させることにより第１の腕５２において延出端部５２ｂが光ディスク１２の周縁に最も接近するよう配置した場合に、光ディスク１２の周縁からのスイングアーム部材５６の第２の腕５４の延出端部の突出距離が増大してしまう。ひいては、図１の（Ｂ）のスイングアーム式光ピックアップ５０は、第１の実施の形態のスイングアーム式光ピックアップ１０に比べると、円形状の光学的記録媒体の一種である光ディスク１２に隣接して配置された時に光ディスク１２との組み合わせの外形状が大きくなる。
【００４０】
［第２の実施の形態］
図２の（Ａ）には、本願の特許請求の範囲に記載の発明とは無関係な第２の実施の形態のスイングアーム式光ピックアップ７０が対応する光ディスク１２とともに概略的に示されている。
【００４１】
なお、このスイングアーム式光ピックアップ７０において図１の（Ａ）に示されているこの発明の第１の実施の形態のスイングアーム式光ピックアップ１０の構成部材と同じ構成部材には第１の実施の形態のスイングアーム式光ピックアップ１０の構成部材を指摘したのと同じ参照符号を記してこれらの構成部材についての詳細な説明は省略する。そして第２の実施の形態のスイングアーム式光ピックアップ７０において第１の実施の形態のスイングアーム式光ピックアップ１０と異なる構成及び配置についてのみ以下に説明する。
【００４２】
この実施の形態のスイングアーム式光ピックアップ７０は、図１の（Ｂ）に示された本願の発明には含まれないスイングアーム式光ピックアップ５０を紙面に平行な軸、例えば第１の腕５２ａの基端部５２ａのガルバノミラー装置３２から延出端部５２ｂの反射鏡３８に向かうレーザ光の光軸１０８、の回りに１８０度回転させたような構成をしている。
【００４３】
図２の（Ａ）のスイングアーム式光ピックアップ７０もまた、光ディスク１２の周縁の周囲に配置された基端部７２ａ及び基端部７２ａから光ディスク１２の半径方向と交差する方向に延出した延出端部７２ｂを有している第１の腕７２と、第１の腕７２の基端部７２ａから第１の腕７２の延出端部７２ｂに向かう方向と交差する方向において光ディスク１２の周縁に接近するよう延出した第２の腕７４と、を含んでいて、軽量で剛性の高い材料、例えばマグネシウム合金、により形成されているスイングアーム部材７６を備えている。スイングアーム部材７６は、第１の腕７２の延出端部７２ｂを光ディスク１２の上面の記録層１２ａに沿い光ディスク１２の半径方向に往復動させるよう揺動する為に、光ディスク１２の周縁の周囲に配置されたボイス・コイル・モータ２０の出力軸２０ａに第２の腕７４の延出端部が固定されている。
【００４４】
図２の（Ａ）においてスイングアーム部材７６は、ボイス・コイル・モータ２０により動作休止位置に配置されている。ここにおいては、第１の腕７２の基端部７２ａでレーザダイオード２２からのレーザ光を第１の腕７２の延出端部７２ｂの反射鏡３８に向かい反射するガルバノミラー装置３２が、第２の腕７４の延出端部のレーザダイオード２２よりも光ディスク１２の周縁から遠くに配置されている。従って、ガルバノミラー装置３２から反射鏡３８に向かわせられたレーザ光の光軸１０８が反射鏡３８とボイス・コイル・モータ２０の出力軸２０ａとを結ぶ仮想線１１０よりも光ディスク１２の周縁から遠くに配置されているので、図２の（Ａ）に示す如く動作休止位置のスイングアーム部材７６の第１の腕７２は延出端部７２ｂを光ディスク１２の周縁に最も接近させている。
【００４５】
従ってこの実施の形態のスイングアーム部材７６は、図１の（Ａ）を参照しながら前述した第１の実施の形態のスイングアーム部材１０と同様に、光ディスク１２の上面上の記録層１２ａに対するアクセス時間が短い。また、光ディスク１２の上面上から動作休止位置に移動するまでに要する回転角度範囲が小さく、図１の（Ａ）を参照しながら前述した第１の実施の形態のスイングアーム部材１０と同様に、ボイス・コイル・モータ２０の磁気回路２１（図１の（Ａ）参照）の構成が小形になり、ひいてはこの実施の形態のスイングアーム式光ピックアップ７０の全体の外形寸法が小形になる。
【００４６】
［第３の実施の形態］
図２の（Ｂ）は、本願の特許請求の範囲に記載の発明に関係しているスイングアーム式光ピックアップを対応する光ディスクとともに概略的に示す平面図である。
【００４７】
図２の（Ｂ）に示す如く、この発明の第３の実施の形態に従ったスイングアーム式光ピックアップ６０は、光ディスク１２の周縁の周囲に配置された基端部６４ａ及び基端部６４ａから光ディスク１２の半径方向と交差する方向に延出した延出端部６４ｂを有している第１の腕６４と、第１の腕６４の基端部６４ａから第１の腕６４の延出端部６４ｂに向かう方向と交差する方向において光ディスク１２の周縁に接近するよう延出した第２の腕６６と、を含んでいて、軽量で剛性の高い材料、例えばマグネシウム合金、により形成されているスイングアーム部材６８を備えている。スイングアーム部材６８は、第１の腕６４の延出端部６４ｂを光ディスク１２の上面の記録層１２ａに沿い光ディスク１２の半径方向に往復動させるよう揺動する為に、光ディスク１２の周縁の周囲に配置されたボイス・コイル・モータ２０の出力軸２０ａに第２の腕６６の延出端部が固定されている。
【００４８】
図２の（Ｂ）においてスイングアーム部材６８は、ボイス・コイル・モータ２０により動作休止位置に配置されていて、動作休止位置のスイングアーム部材６８の第１の腕６４は延出端部６４ｂを光ディスク１２の周縁に最も接近させている。
【００４９】
スイングアーム部材６８の第２の腕６６の延出端部にはレーザダイオード２２及びコンデンサレンズ装置２４が支持されている。レーザダイオード２２は図示しない高周波シールドケースに格納されている図示しないレーザ発振回路に操作されて第１の腕６４の基端部６４ａに向かい楕円状に拡散するレーザ光を出射し、コンデンサレンズ装置２４はレーザダイオード２２から出射された楕円状に拡散するレーザ光を楕円状の平行レーザ光にする。第２の腕６６の中間部の底壁の内表面にはプリズムや複数のビームスプリッタを組み合わされて構成されたプリズム組み立て体２６が設置されている。プリズム組み立て体２６に入射されたコンデンサレンズ装置２４からの楕円状の平行レーザ光はプリズム組み立て体２６のプリズムにより真円状の平行レーザ光にされた後に、プリズム組み立て体２６のビームスプリッタによりその一部が第２の腕６６の中間部の外側縁の近傍に設置されているモニタ用フォトディテクタ２８に導かれるとともに、真円状の平行レーザ光の残りが第２の腕６６の基端部に設置されているリレイレンズ装置３０に導かれる。リレイレンズ装置３０はプリズム組み立て体２６からの真円状の平行レーザ光を第１の腕６４の基端部６４ａの底壁の内表面に設置されているガルバノミラー装置３２に向かい収束させる。ガルバノミラー装置３２は、リレイレンズ装置３０からの収束されたレーザ光をスイングアーム部材６８の第１の腕６４においてガルバノミラー装置３２から延出端部６４ｂに向かう方向に設置されているハーフプリズム３４に向かい反射する。ハーフプリズム３４はガルバノミラー装置３２からの収束されたレーザ光の一部をハーフプリズム３４の上面に設置されている図示しないモニタ用フォトディテクタに導くとともに、収束されたレーザ光の残りを第１の腕６４においてハーフプリズム３４から延出端部６４ｂに向かう方向に設置されているイメージングレンズ３６に導く。イメージングレンズ３６は収束されたレーザ光を真円状のレーザ光に戻した後に第１の腕６４の延出端部６４ｂに設置されている反射鏡３８に導き、反射鏡３８によって下方に向ける。
【００５０】
反射鏡３８の下方には、対物レンズと固体液浸レンズ（ＳＩＬ：Ｓｏｌｉｄ  Ｉｍｍｅｒｓｉｏｎ  Ｌｅｎｓ）との組み合わせ１００を保持したスライダ１０２が配置されていて、スライダ１０２は板ばね状の弾性支持体１０４を介して第１の腕６４の末端部６４ｂに支持されている。
【００５１】
スイングアーム部材６８のレーザダイオード２２からのレーザ光により光ディスク１２の上面の記録層１２ａに対して情報の記録を行う時や上記記録層１２ａから情報を再生する時には、光ディスク１２が例えば矢印Ａで示す所定の方向に所定の回転数で回転されている間にスイングアーム部材６８がボイス・コイル・モータ２０の出力軸２０ａの回りに所定の範囲で往復動されて第１の腕６４の延出端部６４ｂの対物レンズと固体液浸レンズとの組み合わせ１００を保持したスライダ１０２を光ディスク１２の上面の記録層１２ａの上方で光ディスク１２の半径方向に矢印Ｃで示す如く移動させる。
【００５２】
なおこの間には、対物レンズと固体液浸レンズとの組み合わせ１００を保持したスライダ１０２は弾性支持体１０４の弾性により所定の範囲内で自由に上下方向に移動自在であり、この為にスライダ１０２は上述した如く回転している光ディスク１２の上面に対して上述した如く回転している光ディスク１２が巻き起こす風によって略１００ｎｍと略１５０ｎｍとの範囲内で浮上する。
【００５３】
光ディスク１２の上面の記録層１２ａに対する情報の記録の為または記録層１２ａからの情報の再生の為にスライダ１０２上の対物レンズと固体液浸レンズとの組み合わせ１００を介して光ディスク１２の上面の記録層１２ａに対して照射されたレーザ光は、記録層１２ａにより反射されてスライダ１０２上の対物レンズと固体液浸レンズとの組み合わせ１００，イメージングレンズ３６，ハーフプリズム３４，ガルバノミラー装置３２，そしてリレイレンズ装置３０を介してプリズム組み立て体２６に戻され、プリズム組み立て体２６のビームスプリッタにより一部が第２の腕６６の中間部の内側縁の近傍に設置されているサーボ用フォトディテクタ４０に導かれるとともに、反射レーザ光の残りがプリズム組み立て体２６のオラストンプリズム及び対物レンズを介して第２の腕６６の延出端部に設置されている反射光検知手段としてモニタ用フォトディテクタ４２に導かれる。
【００５４】
スイングアーム部材６８のレーザダイオード２２からのレーザ光により光ディスク１２の上面の記録層１２ａに対する情報の記録及び記録層１２ａからの情報の再生を行なわない時、または光ディスク１２のみを格納した図示しないカートリッジを前述した図示しない記録再生装置に対して着脱する時には、光ディスク１２の記録層１２ａやスイングアーム部材６８の対物レンズと固体液浸レンズとの組み合わせ１００やスライダ１０２や弾性支持体１０４等を保護する為に、スイングアーム部材６８がボイス・コイル・モータ２０の出力軸２０ａにより第１の腕６４の延長端部６４ｂ、即ち対物レンズと固体液浸レンズとの組み合わせ１００を保持したスライダ１０２、を光ディスク１２の上面から光ディスク１２の半径方向における図２の（Ｂ）に実線で示す外方まで移動させられ、ここにおいて対物レンズと固体液浸レンズとの組み合わせ１００を保持したスライダ１０２為の弾性支持体１０４は図示しない従来の磁気ハードディスク装置において磁気ヘッドを支持したアームの支持ばねを受ける公知の図示しない支持ばね受けと同様な構成の図示しない支持ばね受けに受けられて、スライダ１０２を光ディスク１２の上面上において前述した如く浮上した動作位置から上方に移動した休止位置へと移動させ保持される。
【００５５】
なお、光ディスク１２のみを格納した図示しないカートリッジを前述した図示しない記録再生装置に対して着脱する時には、スイングアーム式光ピックアップ６０の全体は上記図示しないカートリッジの着脱軌跡から除外される。
【００５６】
図２の（Ｂ）から明らかなように、この第３の実施の形態においては、スイングアーム部材６８がボイス・コイル・モータ２０の出力軸２０ａにより第１の腕６４の延長端部６４ｂ、即ち対物レンズと固体液浸レンズとの組み合わせ１００を保持したスライダ１０２、を光ディスク１２の上面から光ディスク１２の半径方向における図２の（Ｂ）に実線で示す外方まで移動させられた時にはスイングアーム部材６８の全体が光ディスク１２の周縁よりも外方に配置されていて、ここにおいては、第１の腕６２の基端部６２ａでレーザダイオード２２からのレーザ光を第１の腕６２の延出端部６２ｂの反射鏡３８に向かい反射するガルバノミラー装置３２が、第２の腕６４の延出端部のレーザダイオード２２よりも光ディスク１２の周縁から遠くに配置されている。従って、ガルバノミラー装置３２から反射鏡３８に向かわせられたレーザ光の光軸１０８が反射鏡３８とボイス・コイル・モータ２０の出力軸２０ａとを結ぶ仮想線１１０よりも光ディスク１２の周縁から遠くに配置されているので、図２の（Ｂ）に示す如く動作休止位置のスイングアーム部材６６の第１の腕６２は延出端部６２ｂを光ディスク１２の周縁に最も接近させている。
【００５７】
この為にこの第３の実施の形態のスイングアーム式光ピックアップ６０は光ディスク１２の上面上の記録層１２ａに対するアクセス時間が短い。
またスイングアーム部材６８の全体が光ディスク１２の周縁よりも外方に配置されまでに要するスイングアーム部材６８の回動距離が最短になるので、ボイス・コイル・モータ２０の出力軸２０ａの回りのスイングアーム部材６８の揺動動作に必要な回転角度範囲が狭くなり、ひいてはボイス・コイル・モータ２０の磁気回路２１（図１の（Ａ）参照）を構成しているコイル２０ｂやヨーク２０ｃや磁石２０ｄ等の構成部材の寸法を小さくすることが出来、最終的にはスイングアーム式光ピックアップ６０の外形寸法を小さくすることが出来る。
【００５８】
この第３の実施の形態のスイングアーム式光ピックアップ６０においてはさらに、第１の腕６４に対して第２の腕６６が９０度よりも大の交差角度α（この実施の形態では略１１０度）で交差している。なおこの実施の形態でも交差角度αは、第２の腕６６の延出端部のレーザダイオード２２からリレイレンズ装置３０を介して第１の腕６４の基端部６４ａのガルバノミラー装置３２へと入射するレーザ光の光軸１０６とガルバノミラー装置３２から第１の腕６４の延出端部６４ｂの反射鏡３８へと向かうよう反射されたレーザ光の光軸１０８との間の交差角度を採用している。
【００５９】
従ってこの第３の実施の形態のスイングアーム式光ピックアップ６０は、上述した如くアクセス時間が短かくなるよう配置されているにもかかわらず、光ディスク１２の周縁からのスイングアーム部材６８の第１の腕６４の基端部６４ａの突出距離を増大させることがない。ひいては、第３の実施の形態のスイングアーム式光ピックアップ６０は、円形状の光学的記録媒体の一種である光ディスク１２に隣接して配置された時に光ディスク１２との組み合わせの外形状を出来る限り小さくすることが出来る。
【００６０】
また、上述した如き交差角度αを採用しているので、図２の（Ｂ）に示されている本願の発明の第３の実施の形態に従ったスイングアーム式光ピックアップ６０のスイングアーム部材６８の第１の腕６４の基端部６４ａが光ディスク１２の周縁から突出する距離は、図２の（Ａ）に示されている本願の発明の第２の実施の形態に従ったスイングアーム部材７６の第１の腕７２の基端部７２ａが光ディスク１２の周縁から突出する距離に比べると遥かに小さい。さらに、図２の（Ｂ）の第３の実施の形態のスイングアーム式光ピックアップ６０は、図２の（Ａ）の第２の実施の形態のスイングアーム式光ピックアップ７０に比べると、円形状の光学的記録媒体の一種である光ディスク１２に隣接して配置された時に光ディスク１２との組み合わせの外形状が小さくなる。
【００６１】
なお上述した種々の実施の形態のスイングアーム式光ピックアップ１０，７０，６０は対物レンズと固体液浸レンズとの組み合わせ１００を保持したスライダ１０２を使用した前述のニアー・フィールド記録の為の記録再生装置に使用されていたが、固体液浸レンズを使用せずに従来のＣＤやＤＶＤ等に適用される前述のファー・フィールド記録の為の記録再生装置にも本願の発明のスイングアーム式光ピックアップは適用することが出来る。
【００６２】
また、本願の発明のスイングアーム式光ピックアップにおける光学系の構成は、上述した種々の実施の形態における光学系の構成に限られず、例えばホログラム等を使用した種々の構成であることが出来る。
【００６３】
なお上述したこの発明の種々の実施の形態から明らかなようにこの発明に従ったスイングアーム式光ピックアップは以下のようにも表現することが出来る。
１．円形状の光学的記録媒体の周縁の周囲に配置された基端部及び基端部から光学的記録媒体の半径方向と交差する方向に延出した延出端部を有している第１の腕と、第１の腕の基端部から第１の腕の延出端部に向かう方向と交差する方向に第１の腕の基端部から延出した第２の腕と、を含んでおり、第１の腕の延出端部を光学的記録媒体の記録層に沿い光学的記録媒体の半径方向に往復動させるよう揺動するスイングアーム部材と；
スイングアーム部材に設けられ光源からの光ビームを第１の腕の延出端部まで導き上記延出端部から光学的記録媒体の記録層に照射するとともに上記記録層からの反射光を上記延出端部から反射光検知手段まで導く光学回路と；
を備えていて、
スイングアーム部材の第１の腕と第２の腕との交差角度が９０度よりも大である、
ことを特徴とするスイングアーム式光ピックアップ。
【００６４】
２．円形状の光学的記録媒体の周縁の周囲に配置された基端部及び基端部から光学的記録媒体の半径方向と交差する方向に延出した延出端部を有している第１の腕を含んでおり、第１の腕の延出端部を光学的記録媒体の記録層に沿い光学的記録媒体の半径方向に往復動させるよう回転軸の回りに揺動するスイングアーム部材と；
スイングアーム部材に設けられ光源からの光ビームを第１の腕の延出端部まで導き上記延出端部から光学的記録媒体の記録層に照射するとともに上記記録層からの反射光を上記延出端部から反射光検知手段まで導く光学回路と；
を備えていて、
スイングアーム部材の第１の腕の延出端部に導かれる第１の光ビームが、第１の腕の延出端部と上記回転軸とを結ぶ線に対して光学的記録媒体の中心から離れる側に位置している、
ことを特徴とするスイングアーム式光ピックアップ。
【００６５】
３．円形状の光学的記録媒体の周縁の周囲に配置された基端部及び基端部から光学的記録媒体の半径方向と交差する方向に延出した延出端部を有している第１の腕と、第１の腕の延出端部を光学的記録媒体の記録層に沿い光学的記録媒体の半径方向に往復動させるよう回転軸の回りに揺動するスイングアーム部材と；
スイングアーム部材に設けられ光源からの光ビームを第１の腕の延出端部まで導き上記延出端部から光学的記録媒体の記録層に照射するとともに上記記録層からの反射光を上記延出端部から反射光検知手段まで導く光学回路と；
を備えていて、
スイングアーム部材が光学的記録媒体の周縁の外側に配置された時に、スイングアーム部材において上記延出端部が光学的記録媒体の周縁に最も接近して配置されている、
ことを特徴とするスイングアーム式光ピックアップ。
【００６６】
４．スイングアーム部材の第２の腕が、スイングアーム部材の第１の腕の基端部から光学的記録媒体の周縁から遠ざかる方向に向かい延出している、ことを特徴とする上記１項に記載のスイングアーム式光ピックアップ。
【００６７】
５．スイングアーム部材の第２の腕が、スイングアーム部材の第１の腕の基端部から光学的記録媒体の周縁に接近する方向に向かい延出している、ことを特徴とする上記１項に記載のスイングアーム式光ピックアップ。
【００６８】
６．前記光源が第２の腕に設置されている、ことを特徴とする上記１項，４項，そして５項のいずれか１項に記載のスイングアーム式光ピックアップ。
７．第１の腕の前記延出端部には対物レンズが配置されている、ことを特徴とする上記１項１乃至６項のいずれか１項に記載のスイングアーム式光ピックアップ。
【００６９】
【発明の効果】
以上詳述した如く、この発明に従ったスイングアーム式光ピックアップによれば、円形状の光学的記録媒体に対するアクセス速度を出来る限り速くすることが出来るとともに光学的記録媒体との組み合わせの外形状を出来る限り小さくすることが出来る。
【図面の簡単な説明】
【図１】  （Ａ）は、本願の特許請求の範囲に記載の発明に関係している第１の実施の形態に従ったスイングアーム式光ピックアップを対応する光ディスクとともに概略的に示す平面図であり；そして、
（Ｂ）は、この発明には含まれないスイングアーム式光ピックアップを、（Ａ）に示されたこの発明の第１の実施の形態に従ったスイングアーム式光ピックアップとの比較の為に、光ディスクとともに概略的に示す平面図である。
【図２】  （Ａ）は、本願の特許請求の範囲に記載の発明とは無関係な第２の実施の形態に従ったスイングアーム式光ピックアップを対応する光ディスクとともに概略的に示す平面図であり；そして、
（Ｂ）は、本願の特許請求の範囲に記載の発明に関係している第３の実施の形態に従ったスイングアーム式光ピックアップを光ディスクとともに概略的に示す平面図である。
【符号の説明】
１０  スイングアーム式光ピックアップ
１２  光ディスク（光学的記録媒体）
１４  第１の腕
１４ａ  基端部
１４ｂ  延出端部
１６  第２の腕
１８  スイングアーム部材
２２  レーザダイオード（光源）
２４  コンデンサレンズ装置（光学回路）
２６  ハーフプリズム組み立て体（光学回路）
２８  モニタ用フォトディテクタ（光学回路）
３０  リレイレンズ装置（光学回路）
３２  ガルバミラー装置（光学回路）
３４  ハーフプリズム（光学回路）
３６  イメージレンズ装置（光学回路）
３８  反射鏡（光学回路）
４０  サーボ用フォトディテクタ（光学回路）
４２  モニタ用フォトディテクタ（反射光検知手段）
６０  スイングアーム式光ピックアップ
６４  第１の腕
６４ａ  基端部
６４ｂ  延出端部
６６  第２の腕
６８  スイングアーム部材
７０  スイングアーム式光ピックアップ
７４  第１の腕
７４ａ  基端部
７４ｂ  延出端部
７６  第２の腕
７８  スイングアーム部材
α  交差角度
１０８  光軸
１１０  仮想線
【図１】
0003803481.tif 000002
【図２】
0003803481.tif 000003